(57)【特許請求の範囲】
【請求項１】
複数の番組プログラムと、それらそれぞれの番組プログラムに対応する放送時間及び放送チャンネルを一覧表示するためのプログラムガイド情報とを含む信号を受信する受信手段と、
前記受信されたプログラムガイド情報を表示する表示手段に表示されたプログラムガイド情報の上に表示されたカーソルを、記録すべき番組プログラムに対応したプログラムガイド情報の表示上に移動して、記録媒体に記録すべき番組プログラムを指示出来る記録指示手段と、
前記記録指示手段により指示された番組プログラムと、前記受信されたプログラムガイド情報の全部又は一部と、前記指示された番組プログラムの前記記録媒体における記録アドレスに関するアドレス情報とを、前記記録媒体に記録する記録手段と、
前記記録されたプログラムガイド情報を再生する再生表示手段に表示されたプログラムガイド情報の上に表示されたカーソルを、再生すべき番組プログラムに対応したプログラムガイド情報の表示上に移動して、前記記録された番組プログラムの中から、再生すべき番組プログラムを指示出来る再生指示手段と、
前記再生指示手段により指示された番組プログラムを前記アドレス情報に基づいて、読み出し再生する再生手段と、
前記プログラムガイド情報に対して、前記記録指示手段により前記指示された番組プログラムを識別するマーカ情報を付加するためのマーカ付加手段を備え、
少なくとも、前記再生指示手段による前記プログラムガイド情報の再生表示の際に、前記付加されたマーカ情報に基づいて、前記プログラムガイド情報の前記記録された番組プログラムに対応する部分のみが、前記プログラムガイド情報に含まれる番組名及び／又は放送日時に基づいて表示されることを特徴とする記録再生装置。
【請求項２】
前記記録される番組プログラムの前記記録アドレスとその記録アドレスに対応する記録番号とを有する第１テーブルと、前記記録番号とその記録番号に対応する前記記録される番組プログラムのプログラム番号とを有する第２テーブルとを生成し、それら生成結果を前記アドレス情報として出力するテーブル生成手段を備えたことを特徴とする請求項１記載の記録再生装置。
【請求項３】
前記記録される番組プログラムの前記記録媒体における記録アドレスとその記録アドレスに対応する前記記録される番組プログラムのプログラム番号とを有するテーブルを生成し、その生成結果を前記アドレス情報として出力するテーブル生成手段を備えたことを特徴とする請求項１記載の記録再生装置。
【請求項４】
前記受信されたプログラムガイド情報から、前記録画指示される番組プログラムに関する情報のみを抽出し、その結果を前記録画指示される番組プログラム情報として出力する抽出手段を備えたことを特徴とする請求項１〜３の何れか一つに記載の記録再生装置。
【発明の詳細な説明】
【０００１】
【発明の属する技術分野】
本発明は、例えば多重化されたディジタル放送の番組プログラムを記録再生することが出来る、記録再生装置に関する。
【０００２】
【従来の技術】
従来、多重化されたディジタル放送の番組プログラムを記録再生する方法として、図１７に示す様な記録再生装置を用いる方法が知られている。同図を参照しながら、この様な従来装置の構成と動作を併せて説明する。
【０００３】
多重化情報分離手段５０は、多重化された複数のディジタル放送の番組プログラム（以下、これを単にプログラムとも呼ぶ）と、それら番組プログラムのガイド情報としてのプログラムガイド情報とを含む多重化信号１を受信して、後述する指示手段５０３により指示されたプログラムを分離し、つなぎ合わせて出力する手段である。プログラムガイド情報抽出手段５２は、多重化信号１の中から、プログラムガイド情報５１のみを抽出し、それを表示手段５０５に出力する手段である。表示手段５０５は、ユーザがプログラムをリアルタイムで見る際は、プログラムガイド情報５３や多重化情報分離手段５０により分離されたプログラムを表示し、又、ユーザが録画されたプログラムを再生する際には、後述する再生手段５０６により再生された番組プログラムを表示する手段である。
【０００４】
指示手段５０３は、表示手段５０５に表示されたプログラムガイド情報の内容を見たユーザが、今から見ようとするプログラムの指示や、録画しようとするプログラムの指示を行うことが出来る様に構成された手段である。具体的には、リモコンなどを使用して、画面表示されたカーソルを、今から見ようとする、あるいは記録しようとする番組プログラムに対応した、プログラムガイド情報の表示上に移動し、確定させることにより行う。更に、録画プログラムが再生される際、指示手段５０３は、後述する記録番号を指示出来る様に構成されている。記録手段２０９は、ユーザが指示手段５０３を用いて、記録すべきプログラムとして指示したプログラムと、後述するディレクトリ情報１０４とを光ディスク２００に記録する手段である。アドレス生成手段２１２は、記録されるプログラムの記録場所を示すアドレス再生信号２１１から、記録アドレス２１３を生成して出力する手段である。ディレクトリ生成手段５０２は、アドレス生成手段２１２から出力された記録アドレス２１３と、その記録アドレスの格納場所を識別するための記録番号とをディレクトリ情報１０４として生成し、記録手段２０９へ出力する手段である。
【０００５】
光ディスク２００に記録されたプログラムの中から  所望のプログラムを選んで再生しようとする場合、ユーザは、表示手段５０５に表示される記録番号を見て、その再生しようとするプログラムに対応すると思われる記録番号を、自らの記憶等に基づいて調べ、その調べた記録番号を指示するものである。再生手段５０６は、この様にして指示された記録番号を基に、再生すべきプログラムを光ディスク２００から抽出し再生して、表示手段５０５に出力する。ここで、上記自らの記憶等に基づいて調べるということは、具体的には、どの記録番号にどの番組を記録したかと言った記憶を思い出すことであり、あるいは、自らが作った、記録番号と録画番組の対応メモ等を見ることである。
【０００６】
又、２０１はスピンドル、２０２はスピンドル駆動手段、２０３は光ヘッド、２０６は光ヘッド２０３を光デイスク２００の内周から外周に移送するトラバース手段である。２０５はフォーカス／トラッキング制御信号、２０６はトラバース制御信号、２０７はスピンドル制御信号、２０８はサーボ手段である。サーボ手段２０８は、光ヘッド２０３に対してフォーカス／トラッキング信号２０５を与えるとともに、トラバース手段２０４に対してトラバース信号２０６を与えて光ヘッド２０３を光ディスク２００のスパイラルトラック上にオントラックさせ、スピンドル駆動手段２０２に対してスピンドル制御信号２０７を与えて光ディスク２００を略一定の線速度で回転させる。
【０００７】
【発明が解決しようとする課題】
しかしながら、従来のこの様な装置を用いて、ディジタルマルチチャンネル放送を、光ディスク２００やビデオテープレコーダ等の記録媒体に記録する場合、記録された番組プログラムの識別手段がない。そのため、チャンネル数が数１０から数１００となることが予想されるディジタルマルチチャンネル放送においては、光ディスク等に記録された多数のプログラムの中から、所望の番組を選ぶ場合、上述したように自らの記憶等を頼りに、記録番号を指示しなければならず、このような煩雑な方法は、非現実的であるといった課題が有った。従って、この様な煩雑な手続きなく、ユーザが希望する番組を記録・再生することが出来る手段を提供することが強く要求されている。
【０００８】
本発明は、従来の装置のこの様な課題を考慮し、多数の番組プログラムを記録媒体上に記録・再生する場合に、従来に比べてより一層簡単に記録・再生が出来る記録再生装置を提供することを目的とする。
【０００９】
【課題を解決するための手段】
請求項１記載の本発明は、複数の番組プログラムと、それらそれぞれの番組プログラムに対応する放送時間及び放送チャンネルを一覧表示するためのプログラムガイド情報とを含む信号を受信する受信手段と、
前記受信されたプログラムガイド情報を表示する表示手段に表示されたプログラムガイド情報の上に表示されたカーソルを、記録すべき番組プログラムに対応したプログラムガイド情報の表示上に移動して、記録媒体に記録すべき番組プログラムを指示出来る記録指示手段と、
前記記録指示手段により指示された番組プログラムと、前記受信されたプログラムガイド情報の全部又は一部と、前記指示された番組プログラムの前記記録媒体における記録アドレスに関するアドレス情報とを、前記記録媒体に記録する記録手段と、
前記記録されたプログラムガイド情報を再生する再生表示手段に表示されたプログラムガイド情報の上に表示されたカーソルを、再生すべき番組プログラムに対応したプログラムガイド情報の表示上に移動して、前記記録された番組プログラムの中から、再生すべき番組プログラムを指示出来る再生指示手段と、
前記再生指示手段により指示された番組プログラムを前記アドレス情報に基づいて、読み出し再生する再生手段と、
前記プログラムガイド情報に対して、前記記録指示手段により前記指示された番組プログラムを識別するマーカ情報を付加するためのマーカ付加手段を備え、
少なくとも、前記再生指示手段による前記プログラムガイド情報の再生表示の際に、前記付加されたマーカ情報に基づいて、前記プログラムガイド情報の前記記録された番組プログラムに対応する部分のみが、前記プログラムガイド情報に含まれる番組名及び／又は放送日時に基づいて表示されることを特徴とする記録再生装置である。
【００１０】
請求項２記載の本発明は、前記記録される番組プログラムの前記記録アドレスとその記録アドレスに対応する記録番号とを有する第１テーブルと、前記記録番号とその記録番号に対応する前記記録される番組プログラムのプログラム番号とを有する第２テーブルとを生成し、それら生成結果を前記アドレス情報として出力するテーブル生成手段を備えた記録再生装置である。
【００１１】
請求項３記載の本発明は、前記記録される番組プログラムの前記記録媒体における記録アドレスとその記録アドレスに対応する前記記録される番組プログラムのプログラム番号とを有するテーブルを生成し、その生成結果を前記アドレス情報として出力するテーブル生成手段を備えた記録再生装置である。
【００１３】
請求項４記載の本発明は、前記受信されたプログラムガイド情報から、前記録画指示される番組プログラムに関する情報のみを抽出し、その結果を前記録画指示される番組プログラム情報として出力する抽出手段を備えた上記本発明の何れか一つの記録再生装置である。
【００１４】
また、他の本発明は、多重化された複数の番組プログラムと、少なくともその番組プログラムに対応する放送時間及び放送チャンネルを一覧表示するためのプログラムガイド情報とを含む信号を受信する受信手段と、前記受信された複数の番組プログラムを前記多重化されたまま、前記プログラムガイド情報と、それら番組プログラムの記録媒体における記録アドレスに関するアドレス情報と共に、前記記録媒体に記録する記録手段と、記記録されたプログラムガイド情報を再生する再生表示手段と、その再生されたプログラムガイド情報を利用して、前記記録された番組プログラムの中から、再生すべき番組プログラムを指示出来る再生指示手段と、前記再生指示手段により指示された番組プログラムを前記アドレス情報に基づいて、読み出し再生する再生手段とを備えた記録再生装置である。
【００１５】
請求項１記載の本発明では、受信手段が、複数の番組プログラムと、それらそれぞれの番組プログラムに対応する放送時間及び放送チャンネルを一覧表示するためのプログラムガイド情報とを含む信号を受信し、記録指示手段が、前記受信されるプログラムガイド情報を表示する表示手段と、その表示されたプログラムガイド情報を利用して、記録媒体に記録すべき番組プログラムを指示出来、記録手段が、前記記録指示手段により指示された番組プログラムと、前記受信されたプログラムガイド情報の全部又は一部と、前記指示された番組プログラムの前記記録媒体における記録アドレスに関するアドレス情報とを、前記記録媒体に記録し、再生表示手段が、前記記録されたプログラムガイド情報を再生し、再生指示手段が、その再生されたプログラムガイド情報を利用して、前記記録された番組プログラムの中から、再生すべき番組プログラムを指示出来、再生手段が、前記再生指示手段により指示された番組プログラムを前記アドレス情報に基づいて、読み出し再生する。
【００１６】
請求項２記載の本発明では、テーブル生成手段が、前記記録される番組プログラムの前記記録アドレスとその記録アドレスに対応する記録番号とを有する第１テーブルと、前記記録番号とその記録番号に対応する前記記録される番組プログラムのプログラム番号とを有する第２テーブルとを生成し、それら生成結果を前記アドレス情報として出力する。
【００１７】
請求項３記載の本発明では、テーブル生成手段が、前記記録される番組プログラムの前記記録媒体における記録アドレスとその記録アドレスに対応する前記記録される番組プログラムのプログラム番号とを有するテーブルを生成し、その生成結果を前記アドレス情報として出力する。
【００１９】
請求項４記載の本発明では、抽出手段が、前記受信されたプログラムガイド情報から、前記録画指示される番組プログラムに関する情報のみを抽出し、その結果を前記録画指示される番組プログラム情報として出力する。
【００２０】
また、他の本発明では、受信手段が、多重化された複数の番組プログラムと、少なくともその番組プログラムに対応する放送時間及び放送チャンネルを一覧表示するためのプログラムガイド情報とを含む信号を受信し、記録手段が、前記受信された複数の番組プログラムを前記多重化されたまま、前記プログラムガイド情報と、それら番組プログラムの記録媒体における記録アドレスに関するアドレス情報と共に、前記記録媒体に記録し、再生表示手段が、記記録されたプログラムガイド情報を再生し、再生指示手段が、その再生されたプログラムガイド情報を利用して、前記記録された番組プログラムの中から、再生すべき番組プログラムを指示出来、再生手段が、前記再生指示手段により指示された番組プログラムを前記アドレス情報に基づいて、読み出し再生する。
【００２１】
これにより、例えば、番組プログラムを再生する際、再生すべきプログラムを指示する手段として記録されたプログラムガイド情報を利用出来る。
【００２２】
【発明の実施の形態】
以下、本発明の実施の形態について図面を用いて説明する。
【００２３】
（実施の形態１）
図１は、本発明にかかる記録再生装置の一実施の形態の構成図であり、同図を参照しながら本実施の形態の構成を説明する。尚、図２〜図６は本実施の形態を説明するための図である。又、図１７で説明したものと同じものについては、同じ符号を付し、その詳しい説明は省略する。
【００２４】
図１において、本発明の受信手段としての多重化情報分離手段５０は、多重化情報１から、後述するプログラム番号４に基づいて、プログラムのパケットすなわちビデオ情報やオーディオ情報を格納した所定のパケットを分離してつなぎ合わせてプログラム５として出力する手段である。又、多重化情報分離手段５０は、多重化情報１からプログラムガイド情報パケット５１を抽出する手段であり、ディジタルシグナルプロセッサ等で構成される。プログラムガイド情報抽出手段５２は、プログラムガイド情報パケット５１からプログラムガイド情報５３を抽出し、表示手段５０５や記録手段２０９へ出力する手段である。ここで、プログラムガイド情報５３とは、番組プログラムに対応する放送日時及び放送チャンネルの他、番組名、番組の概略内容等の番組の属性情報である。
【００２５】
表示手段５０５は、ユーザ３００がプログラムをリアルタイムで見る際に、プログラムガイド情報５３や、多重化情報分離手段５０により分離されてつなぎ合わされたプログラム５や、カーソル等を表示する手段である。又、表示手段５０５は、ユーザ３００が録画されたプログラムを再生する際に、再生手段５０６により再生された、プログラムガイド情報５３や、番組プログラムや、カーソル等を表示する手段である。
【００２６】
プログラム指示手段３は、ユーザ３００が表示手段５０５に表示されたプログラムガイド情報の内容を見ながら、今から見ようとするプログラムの指示や、録画しようとするプログラムの指示する手段であり、更に、録画されたプログラムの中から再生しようとするプログラムの指示を行うことにより、そのプログラムに対して予め定められているプログラム番号４を出力する手段である。具体的には、リモコン等により実現される。
【００２７】
記録手段２０９は、ユーザ３００がプログラム指示手段３を用いて、記録すべきプログラムとして指示したプログラムと、後述するアドレス情報１０１，１０４と、プログラムガイド情報５３とを光ディスク２００に記録する手段である。
【００２８】
アドレス生成手段２１２は、光ディスク２００に記録されるプログラムの光ディスク２００上の記録場所を示すアドレス再生信号２１１から、記録アドレス２１３を生成して出力する手段である。第１のディレクトリ生成手段１０２は、アドレス生成手段２１２から出力された記録アドレス２１３と、その記録アドレス２１３の格納場所を識別するための記録番号１０３との対応関係を第１のディレクトリ情報１０４として生成し、記録手段２０９へ出力する手段である。又、プログラム記録位置情報生成手段１００は、第１のディレクトリ生成手段１０２から出力された記録番号１０３と、その記録番号１０３に対応する、プログラム指示手段３からの出力であるプログラム番号４との対応関係をプログラム記録位置情報１０１として生成し、記録手段２０９へ出力する手段である。ここで、本発明の第１テーブルは、第１のディレクトリ情報１０４に対応し、本発明の第２テーブルは、プログラム記録位置情報１０１に対応する。又、本発明のテーブル生成手段は、第１のディレクトリ生成手段１０２とプログラム記録位置情報生成手段１００とを含む手段である。
【００２９】
再生手段５０６は、プログラム指示手段３により再生を指示された番組プログラムをアドレス情報としてのプログラム記録位置情報１０１，第１のディレクトリ情報１０４に基づいて、読み出し、再生しその再生信号を表示手段５０５へ出力する手段である。プログラム指示手段３は、本発明の記録指示手段と再生指示手段とを含むものである。
【００３０】
以上の構成において、次に本実施の形態の動作を図１〜図６を参照しながら説明する。
【００３１】
ここでは、ユーザによる、番組プログラムの記録、再生動作を中心に述べる。
【００３２】
（１）番組プログラムの記録動作について
ユーザは、プログラム指示手段３を用いて、表示手段５０５の画面に表示されたカーソルを、記録しようとする番組プログラムに対応した、プログラムガイド情報の表示上に移動し、確定させる。
【００３３】
プログラム指示手段３は、ユーザによるこの確定指示を得て、各プログラムに予め与えられているプログラム番号４を特定し、そのプログラム番号４を、多重化情報分離手段５０と、プログラム記録位置情報生成手段１００に出力する。
【００３４】
多重化情報分離手段５０は、プログラム番号４の信号を得て、その番号に対応するプログラムのみを、記録手段２０９へ出力する。
【００３５】
一方、第１のディレクトリ生成手段１０２は、アドレス生成手段２１２から得た、ユーザの指示した番組プログラムの光ディスク２００上の記録アドレス２１３と、その記録番号１０３との対応関係（図４参照）を生成して記録手段２０９へ出力し、且つ、記録番号１０３をプログラム記録位置情報生成手段１００へ出力する。図４では、例えば、ユーザの指示したプログラムが、光ディスク２００に対して、第２番目に記録したプログラムの場合は、その記録番号は「２」であり、その記録アドレスは、「１２０００」であることを示している。又、プログラム記録位置情報生成手段１００は、プログラム番号４と記録番号１０３との対応関係（図６参照）を生成して記録手段２０９へ出力する。図６は、例えば、上述した「２」の記録番号と「１１」のプログラム番号が対応関係にあることを示している。第１のディレクトリ生成手段１０２や、プログラム記録位置情報生成手段１００等の更に詳細な動作は、後述する。
【００３６】
以上の動作により、記録手段２０９は、プログラムガイド情報５３、ユーザが指示したプログラム５、第１のディレクトリ情報１０４、そして、プログラム記録位置情報１０１を、光ディスク２００へ記録する。
【００３７】
（２）番組プログラムの再生動作について
以上のようにして記録された、多数のプログラムのなから、ユーザは再生を所望するプログラムをプログラム指示手段３を用いて指示する。
【００３８】
即ち、この再生モードにおいては、まず光ディスク２００に記録されているプログラムガイド情報が、再生手段５０６によって再生され、一覧表として表示手段５０５に表示される。ユーザ３００は、このプログラムガイド情報の一覧表を見て、その中から、再生しようとするプログラムを、カーソルの移動により指示する。この指示動作は、上述した記録動作の場合と同様である。このようにして指示されたプログラムに対応するプログラム番号４が、プログラム指示手段３から再生手段５０６へ送られる。再生手段５０６は、光ディスク２００に記録されているプログラム記録情報１０１と第１のディレクトリ情報１０４から、プログラム番号４に対応する記録アドレス２１３を調べる。そして、その記録アドレスに記録されているプログラムが再生され、表示手段５０５は、その再生信号を表示する。ここでは、例えば、第２番目に記録したプログラムを再生する場合、図４，図６では、「１１」のプログラム番号に対応する記録アドレスは「１２０００」である。
【００３９】
尚、ユーザが、現在放送されているプログラムをリアルタイムで見る場合は、従来の動作と基本的に同様である。
【００４０】
以下に、上記の動作について、図面を参照しながら更に詳細に述べる。
【００４１】
図２は、多重化情報分離手段５０の動作の一部を説明するための説明図である。
【００４２】
同図に示す様に、多重化情報分離手段５０は、多重化情報１を読み込み、プログラム番号４をプログラム番号指示手段３から読み込み、多重化情報１からプログラム番号とプログラムパケットとの関係を示すテーブルパケット４０１を抽出する。その後、多重化情報分離手段５０は、上記テーブルパケット４０１からプログラム番号４に対応するプログラムパケットを示すパケット識別子４０１ａを選択し、多重化情報１から対応するプログラムパケットのみを抽出して、それら抽出したプログラムパケットを組み立ててプログラム５として出力する。更に、多重化情報分離手段５０は、多重化情報１からプログラムガイド情報パケット５１を抽出してプログラムガイド情報抽出手段５２に出力する。
【００４３】
図３は、プログラムガイド情報抽出手段５２の動作を示した図である。
【００４４】
同図に示すように、プログラムガイド情報パケット５１は、例えば、１週間分のスケジュールに関して、プログラム番号、番組名、番組カテゴリ、視聴料金等の料金情報、番組内容、テレビショピング等のショピング情報、番組のシリーズ情報、放送チャンネル、放送日時等を含む。プログラムガイド情報抽出手段５２は、プログラムガイド情報パケット５１からプログラムガイド情報の一部５３ａ、または全部５３ｂを抽出する。本実施の形態では、放送チャンネル、放送日時、番組名、番組内容等を一覧表として作成出来る様に、プログラムガイド情報の全てを出力する。
【００４５】
図４は、第１のディレクトリ生成手段１０２により生成される第１のディレクトリ情報を示したものである。
【００４６】
第１のディレクトリ生成手段１０２は、マイクロコンピュータ等により構成される。図４において、記録アドレス２１３を読み込み、記録番号が付加され、第１のディレクトリ情報１０４を生成して記録手段２０９に出力する。このようにして生成された第１ディレクトリ情報１０４は、記録アドレス２１２と記録番号とを関係づけたものであり、記録手段２０９に供給される。記録手段２０９は、第１のディレクトリ情報１０４を所定領域例えば光ディスク２００のディレクトリ領域に記録し、プログラム５を第１のディレクトリ情報１０４に記される記録アドレスに記録する。
【００４７】
図５は、プログラム記録位置情報生成手段１００の動作を示し、図６はプログラム記録位置情報生成手段１００により生成されるプログラム記録位置情報１０１を示したものである。又、これら図５及び図６は、プログラム番号と記録番号とを関係付けるプログラム記録位置情報を生成する場合の図である。プログラム記録位置情報生成手段５４は、マイクロコンピュータ等により構成される。
【００４８】
図５及び図６において、プログラム記録位置情報生成手段１００はプログラム番号４と第１のディレクトリ生成手段１０２から出力される記録番号１０３とを読み込みプログラム記録位置情報１０１を生成する。図６では、プログラム番号１０、１１、２０に各々記録番号１、２、１１が対応している。
【００４９】
以上のようにプログラムガイド情報パケット５１の全部が光ディスクのディレクトリ領域に記録されるので、光ディスク２００に記録されたプログラムを再生する場合に、表示手段５０５に一覧表として表示されたプログラムガイド情報５３を利用して、プログラムを簡単な操作で、極めて容易に検索することができる。また、プログラムを連続して大量に記録する場合、即ち、毎週放送される連続テレビ番組等のシリーズものを記録する場合は、プログラムガイド情報ファイルのシリーズ番号（図３参照）を活用して各プログラムを検索することが可能となる。
【００５０】
（実施の形態２）
以下、本発明の一実施形態について、図面を用いて説明する。
【００５１】
図１で述べたものと同じものには、同じ符号を付し、その説明を省略する。
【００５２】
図７は、本実施の形態の記録再生装置の構成図であり、上記実施の形態１との主なる相違点は、マーカ付加手段１４０が追加された点である。
【００５３】
以下、マーカ付加手段１４０を中心に本実施の形態の構成を説明する。
【００５４】
図７に示すように、マーカ付加手段１４０は、プログラムガイド情報５３に対して、ユーザにより指示された番組プログラムを識別するマーカを付加するための手段であり、マーカ付きプログラムガイド情報１４１を出力するものである。
【００５５】
このマーカ付きプログラムガイド情報１４１は、表示手段５０５や、記録手段２０９へ出力される。マーカ付加手段１４０は、マイクロコンピュータ等により構成される。
【００５６】
以上の構成において、次に本実施の形態の動作を、図８を参照しながら説明する。図８は、マーカ付加手段１４０の動作を示す図である。
【００５７】
図８に示す様に、マーカ付加手段１４０は、プログラム番号４とプログラムガイド情報５３とを読み込み、記録する旨の指示があったプログラムに対応するプログラム番号のマーカ付加位置１４０ａにマーカとして「１」を付加する。本実施の形態では、記録するプログラムに「１」を、記録しないプログラムに「０」を付加する。図８では、プログラム番号「１」にはマーカとして「０」が付加されており、記録指示のないプログラムであることを示し、プログラム番号「２」にはマーカとして「１」が付加されており、記録指示に基づいて記録されたプログラムであることを示す。
【００５８】
ユーザが、記録すべきプログラムを指示した場合、上記マーカ付きプログラムガイド情報１４１が光ディスク２００に記録される点などが、上記実施の形態１と相違するが、その他の記録動作は同じである。
【００５９】
又、記録されたプログラムを再生する場合、表示手段５０５に表示されるプログラムガイド情報の一覧表には、記録されているプログラムに対応する部分に、上述したマーカ情報に基づいて、網掛け等の模様が表示される点が、上記実施の形態１と相違する。尚、プログラム記録位置情報生成手段１００等、その他の動作は上述した実施の形態１と同様であるので、説明を省略する。
【００６０】
これにより、ユーザは、再生すべきプログラムを選ぶ場合、表示一覧表の中で、網掛け模様の施されたところのガイド情報のみを見て、その中のプログラムを指示すればよい。従って、本実施の形態では、上記実施の形態１の効果に加えて、再生時におけるプログラム指示の動作が更に容易になる。
【００６１】
（実施の形態３）
以下、本発明の一実施形態について、図面を用いて説明する。
【００６２】
図１で述べたものと同じものには、同じ符号を付し、その説明を省略する。
【００６３】
図９は、本実施の形態の記録再生装置の構成図であり、上記実施の形態１との主なる相違点は、第１のディレクトリ生成手段１０２とプログラム記録情報生成手段１００に代えて、第２のディレクトリ生成手段６を用いる点である。
【００６４】
以下、第２のディレクトリ生成手段６を中心に本実施の形態の構成を説明する。
【００６５】
図９に示すように、本発明のテーブル生成手段としての第２のディレクトリ生成手段６は、記録される番組プログラム５の光ディスク２００上における記録アドレス２１３とその記録アドレスに対応する記録される番組プログラムのプログラム番号４との対応関係（図１１参照）を生成して、第２のディレクトリ情報７として記録手段２０９へ出力する手段である。ここで、上記記録アドレス２１３は、アドレス生成手段２１２からの出力であり、プログラム番号４は、プログラム指示手段３からの出力である。第２のディレクトリ生成手段６は、マイクロコンピュータ等により構成される。
【００６６】
以上の構成において、次に本実施の形態の動作を、図１０，１１を参照しながら説明する。図１０は第２のディレクトリ生成手段６の動作を示し、図１１は第２のディレクトリ生成手段６により生成される第２のディレクトリ情報７を示したものである。
【００６７】
図１０及び図１１に示すように、プログラム番号４として「１０」を有するプログラムを先頭アドレス「１００００」に記録する場合において、第２のディレクトリ生成手段６は、プログラム番号４として「１０」をプログラム指示手段３から読み込み、アドレス生成手段２１２から記録アドレス２１３として先頭アドレス「１００００」を読み込む。そして、それら第２のディレクトリ情報７が記録手段２０９を介して、光ディスク２００へ記録される。図１１に示す、プログラム番号４としての「１１」、「２０」の場合もこれと同様である。
【００６８】
即ち、記録手段２０９は、ディレクトリ情報７を、光ディスク２００の所定領域、例えば光ディスクの内周部のディレクトリ領域に記録し、プログラム５自体を所定の記録アドレスに記録する。このようにして生成されたディレクトリ情報７は、多重化情報１に含まれるプログラムのプログラム番号と記録アドレスとを直接的に関係づけたものである。これによって、上記実施の形態と同様、多重化情報１に含まれる多数のプログラムが、それぞれ光ディスク２００に記録された場合においても、ユーザは、多重化情報１からプログラムを識別するのと基本的に同様の動作で、光ディスク２００からプログラムを簡単に識別することができる。但し、本実施の形態では、同様の効果を発揮するために必要な構成が、上記実施の形態に比べてより簡単となる点が異なる。
【００６９】
（実施の形態４）
以下、本発明の一実施形態について、図面を用いて説明する。
【００７０】
図９で述べたものと同じものには、同じ符号を付し、その説明を省略する。
【００７１】
図１２は、本実施の形態の記録再生装置の構成図であり、上記実施の形態３との主なる相違点は、第２のディレクトリ生成手段６に代えて、第３のディレクトリ生成手段５４を用いた点と、本発明の抽出手段としてのプログラムガイド情報抽出手段５２が、第３のディレクトリ生成手段５４に対して、プログラムガイド情報の一部５３ａ（図３，図１４参照）を送る点である。
【００７２】
以下、第３のディレクトリ生成手段５４を中心に本実施の形態の構成を説明する。
【００７３】
図１２に示すように、プログラムガイド情報抽出手段５２は、表示手段５０５に対しては上記実施の形態の場合と同様に、プログラムガイド情報５３を出力するが、第３のディレクトリ生成手段５４に対しては、プログラムガイド情報の一部５３ａ（図３参照）を出力するものである。第３のディレクトリ生成手段５４は、記録指示のあったプログラムのプログラム番号４と、その記録アドレス２１３と、更に、対応するプログラムガイド情報の一部５３ａとの対応関係（図１４参照）を生成し、第３のディレクトリ情報５５として記録手段２０９へ出力する手段である。
【００７４】
以上の構成において、次に本実施の形態の動作を、図１３，１４を参照しながら説明する。
【００７５】
図１３は、第３のディレクトリ生成手段５４の動作を示し、図１４は第３のディレクトリ生成手段５４により生成される第３のディレクトリ情報５５を示したものである。
【００７６】
図１３において、第３のディレクトリ生成手段５４は、記録アドレス２１３を読み込むとともに、プログラム番号４とプログラムガイド情報の一部５３ａを読み込む。その後、プログラム番号４と記録アドレス２１３とプログラムガイド情報５３との関係を示す第３のディレクトリ情報５５を生成する。
【００７７】
図１４において、記録アドレス「１００００」、「１２０００」、・・・・、「５００００」各々に番組名や番組内容等のプログラムガイド情報が対応して記載されている。記録手段２０９は、第３のディレクトリ情報を所定領域例えば光ディスク２００のディレクトリ領域に記録し、プログラム５を第３のディレクトリ情報５５に記される記録アドレスに記録する。
【００７８】
この様に、本実施の形態では、上記実施の形態と異なり、プログラムガイド情報は、その一部が、プログラム番号４等と対応関係を持って、光ディスク２００に記録される。
【００７９】
従って、本実施の形態の場合、上記実施の形態の効果に加えて、更に、全てのプログラムガイド情報を記録する場合に比べてより一層記録容量が節約出来る。又、このことは、記録したプログラムを長く保存する場合に、記録すべきプログラムガイド情報に無駄が生じないので極めて有効である。
【００８０】
又、伝送されたディジタル多重化情報から記録媒体に記録する場合、プログラムガイド情報を記録媒体上のディレクトリの各プログラムの記録アドレスに対応して記録することができるので、プログラムを個別に検索する場合プログラムガイド情報を利用してプログラムを選択できるという利点がある。
【００８１】
（実施の形態５）
以下、本発明の一実施形態について、図面を用いて説明する。
【００８２】
図１で述べたものと同じものには、同じ符号を付し、その説明を省略する。
【００８３】
図１５は、本実施の形態の記録再生装置の構成図であり、上記実施の形態１との主なる相違点は、受信手段６０により受信された多重化情報１を、そのまま光ディスク２００に記録する点である。
【００８４】
以下、図１５、１６を参照しながら本実施の形態の構成を説明する。
【００８５】
同図において、多重化情報分離手段２は、記録された多重化情報１の中から、ユーザにより指示されたプログラムを分離し、つなぎ合わせて、表示手段５０５へ出力するための手段である。又、プログラム指示手段６３は、上記実施の形態と同様に、現在放送されている番組プログラムを見る場合に、その見ようとするプログラムを表示手段５０５の画面上で指示する手段であり、又、記録されたプログラムの中から、再生しようとするプログラムを指示する手段である。
【００８６】
アドレス生成手段２１２は、記録される多重化情報１の識別情報として、その多重化情報１が送られてくる日時を用いる。即ち、アドレス生成手段２１２は、１時間単位で日時を区別するための日時識別情報５３ｃと、多重化情報１の各時間毎の記録アドレス２１３（図１６参照）を生成して、記録手段２０９に出力する。日時識別情報５３ｃは、プログラムガイド情報抽出手段５２から出力される。本発明の再生指示手段は、プログラム指示手段６３に対応し、又、本発明の再生手段は、再生手段５０６と多重化情報分離手段２等を含むものである。
【００８７】
以上の構成において、次に本実施の形態の記録、再生動作を説明する。
【００８８】
ユーザからの記録指示があると、受信手段６０が受けた多重化情報１は、多重化された状態のまま全て、記録手段２０９を介して光ディスク２００に記録される。この場合、当然に裏番組も全て記録される。又、記録手段２０９は、上記多重化情報１とともに、プログラムガイド情報５３と、第４のディレクトリ生成情報６２も併せて記録する。図１６は第４のディレクトリ生成手段６１により生成される第４のディレクトリ情報６２を示したものである。図１６によれば、例えば、２０００年１月１日ＡＭ００：００からＡＭ０１：００までに放送された多重化情報は、１００００を先頭アドレスとして、記録されていることがわかる。
【００８９】
この様にして、記録されたプログラムの再生動作を説明する。
【００９０】
ユーザによる再生動作の指示により、再生手段５０６は光ディスク２００に記録されているプログラムガイド情報５３を読み出して、表示手段５０５へ送る。ユーザ３００は、表示手段５０５に表示されたプログラムガイド情報の一覧表を見て、再生しようとするプログラムをプログラム指示手段６３を用いて指示する。プログラム指示手段６３は、指示のあったプログラムに対応するプログラム番号４を、多重化情報分離手段２と再生手段５０６に出力する。再生手段５０６は、このプログラム番号４を用いて、プログラムガイド情報の中から、ユーザにより指示されたプログラムの放送された日時を調べ、それを日時識別情報５３ｃとし、光ディスク２００に記録されている第４のディレクトリ情報６２から、その日時識別情報５３ｃに対応する記録アドレス２１３を得る。再生手段５０６は、このようにして得た記録アドレス２１３を先頭アドレスとする記録情報を読み出し、多重化情報分離手段２へ送る。多重化情報分離手段は、プログラム指示手段６３から送られたプログラム番号４に対応するプログラムのみを多重化情報の中から分離し、つなぎ合わせて表示手段５０５へ出力する。
【００９１】
このように、本実施の形態では、上記実施の形態の効果に加えて、更に、全てのプログラムを多重情報のまま記録しているので、裏番組をも再生することが出来る。
即ち、伝送されたディジタル多重化情報から記録媒体に記録する場合、プログラムガイド情報を一括表示してその中から記録媒体に記録されたプログラムを選択することができる。例えば、１週間分のプログラムを大量に記録しておき、伝送されたプログラムガイド情報によりプログラムを選択できるという利点がある。  なお、上記実施の形態では、記録媒体として光ディスクを用いた場合の説明を行ったが、これに限らず例えば、その他磁気テープや半導体メモリ等を用いてもよい。
【００９２】
又、上記実施の形態では、第３のディレクトリ情報として、図１４に示す様に、プログラムガイド情報の一部５３ａをプログラム番号４と記録アドレス２１３とを一体のテーブルとして生成する場合について説明したが、これに限らず例えば、プログラム番号との対応関係がわかれば、プログラムガイド情報の一部５３ａは独立したテーブルとして生成されてももちろんよい。
【００９３】
又、第４のディレクトリ情報は、放送の日時を識別情報とする場合について説明したが、これに限らず、他の識別情報を利用してももちろんよい。
【００９４】
又、上記実施の形態では、プログラムガイド情報の一覧表を表示する際、記録したプログラムを区別するために更に、網掛け模様を施す場合について説明したが、これに限らず例えば、マーカ情報を利用して、記録したプログラムのみを表示する構成でもよい。
【００９５】
【発明の効果】
以上述べたところから明らかな様に本発明は、多数の番組プログラムを記録媒体上に記録・再生する場合に、従来に比べてより一層簡単に記録・再生が出来るという長所を有する。
【図面の簡単な説明】
【図１】本発明にかかる記録再生装置の一実施の形態の構成図
【図２】本実施の形態の多重化情報分離手段の動作の説明図
【図３】本実施の形態のプログラムガイド情報抽出手段の動作の説明図
【図４】本実施の形態の第１のディレクトリ情報を示した図
【図５】本実施の形態のプログラム記録位置情報生成手段の動作の説明図
【図６】本実施の形態のプログラム記録位置情報を示した図
【図７】本発明にかかる記録再生装置の一実施の形態の構成図
【図８】本実施の形態のマーカ付加手段の動作の説明図
【図９】本発明にかかる記録再生装置の一実施の形態の構成図
【図１０】本実施の形態の第２のディレクトリ生成手段の動作の説明図
【図１１】本実施の形態の第２のディレクトリ情報の説明図
【図１２】本発明にかかる記録再生装置の一実施の形態の構成図
【図１３】本実施の形態の第３のディレクトリ生成手段の動作の説明図
【図１４】本実施の形態の第３のディレクトリ情報の説明図
【図１５】本発明にかかる記録再生装置の一実施の形態の構成図
【図１６】本実施の形態の第４のディレクトリ情報の説明図
【図１７】従来の記録再生装置の構成図
【符号の説明】
１      多重化情報
４      プログラム番号
５      プログラム
５０    多重化情報分離手段
５１    プログラムガイド情報パケット
５２    プログラムガイド情報抽出手段
５３    プログラムガイド情報
２０９  記録手段
５０５  表示手段
５０６  再生手段
【図１】
0003598166.tif 000002
【図２】
0003598166.tif 000003
【図３】
0003598166.tif 000004
【図４】
0003598166.tif 000005
【図５】
0003598166.tif 000006
【図６】
0003598166.tif 000007
【図７】
0003598166.tif 000008
【図８】
0003598166.tif 000009
【図９】
0003598166.tif 000010
【図１０】
0003598166.tif 000011
【図１１】
0003598166.tif 000012
【図１２】
0003598166.tif 000013
【図１３】
0003598166.tif 000014
【図１４】
0003598166.tif 000015
【図１５】
0003598166.tif 000016
【図１６】
0003598166.tif 000017
【図１７】
0003598166.tif 000018